(57)【要約】      （修正有）【課題】幼児の脚周りおよびウエスト回りに隙間を生じさせずに、しかも、手早くオムツ交換ができるオムツの提供【解決手段】透水性の表面シートと、不透水性のカバーシートおよびその間に配置される吸水体とからなり、カバーシートのウエスト部背側ｃの両端が延長して面ファスナー等の係止部５が形成され、ウエスト部腹側ｂには被係止部６が形成されていて、両部が係着してオムツを被着できるオムツにおいて、表面シートに着用者の尻位置を誘導するマーク７を表示してあるマーク付きオムツ。【選択図】図２
2014230716.tif 000002
【特許請求の範囲】
【請求項１】
透水性の少なくとも１枚の表面シートと、不透水性のカバーシートおよびその間に配置される吸水体とからなり、カバーシートのウエスト部背側の両端が延長して面ファスナー等の係止部が形成され、ウエスト部腹側には被係止部が形成されていて、前記背側の係止部が腹側の被係止部に係着してオムツを被着できるようになっているオムツにおいて、透水性の表面シートに着用者の尻位置を誘導するマークを表示してあることを特徴とするマーク付きオムツ。
【請求項２】
前記表面シートが少なくとも半透明であり、内部に表示した前記マークが表面から見えることを特徴とする請求項１に記載のマーク付きオムツ。
【請求項３】
前記マークが、直線、曲線等の幾何学図形、文字、動植物図等のパターンであることを特徴とする請求項１または２に記載のマーク付きオムツ。
【発明の詳細な説明】
【技術分野】
【０００１】
本発明は、オムツ交換が容易なマーク付きオムツに関する。
【背景技術】
【０００２】
使い捨ての紙オムツは、一般に、透水性の表面シートと、不透水性のカバーシートと、これら両シートの間に配置される吸水体とから構成され、ウエスト部背側の両端が延長して面ファスナー等の係止部を腹側の被係止部に係着させるようになっており、尿等の排泄物を透水性の表面シートより内部に配置してある吸水体に吸収保持させ、そして外側の不透水性のカバーシートにより、オムツより漏れるのを防ぐようになっている。
【先行技術文献】
【特許文献】
【０００３】
【特許文献１】特開２００２−２５３６０９号公報
【特許文献２】特開２０１２−２００４７９号公報
【発明の概要】
【発明が解決しようとする課題】
【０００４】
特に、生まれてからパンツタイプのオムツに移行するまでの１歳未満の新生児のオムツ交換は、風邪をひかせないように手早く、そして装着時に脚周りおよび背側に隙間が生じて尿モレが生じないようにきちんと正確に着用させねばならないという問題がある。新生児は足をバタつかせたりするのでオムツを正確にあてて交換することが難しい。
オムツ交換は、１日に１０回程度行われ、交換は、広げたオムツに仰向けに寝かせて、お尻の下に敷いたオムツシートを股間より腹側に折り返し、背側の面ファスナーにて折り返した腹側の外面に設けてある面ファスナーに止めてオムツを被着する。その時、オムツの位置が体の前後方向にズレて装着されると尿漏れの恐れが生じるので、面ファスナーを外して再度オムツの位置を調整せねばならない。
【０００５】
しかし動く幼児を押さえつけながらオムツをずらして装着しなおすことは大変な作業となる。面ファスナーを外すことなくオムツを着用させたまま位置をずらし面ファスナーを係着させることはなお難しく、時として脚回りおよびウエストの背側が密着せず尿漏れの原因となってしまう。
【０００６】
そこで本発明は、きちんと正確にオムツを装着させることができ、特に脚周りおよび背側から尿漏れの生じないようにできるオムツを提供することを目的とする。
【課題を解決するための手段】
【０００７】
請求項１に記載の発明は、上記目的を達成するためになされたものであり、
透水性の少なくとも１枚の表面シートと、不透水性のカバーシートおよびその間に配置される吸水体とからなり、カバーシートのウエスト部背側の両端が延長して面ファスナー等の係止部が形成され、ウエスト部腹側には被係止部が形成されていて、前記背側の係止部が腹側の被係止部に係着してオムツを被着できるようになっているオムツにおいて、透水性の表面シートに着用者の尻位置を誘導するマークを表示してあることを特徴とするものです。
【０００８】
請求項２に記載の発明は、請求項１に記載のマーク付きオムツにおいて、
前記表面シートが少なくとも半透明であり、内部に表示した前記マークが表面から見えることを特徴とするものです。
【０００９】
請求項３に記載の発明は、請求項１又は２に記載のマーク付きオムツにおいて、
前記マークが、直線、曲線等の幾何学図形、文字、動植物図等のパターンであることを特徴とするものです。
【発明の効果】
【００１０】
本発明は、幼児等のオムツ着用者のお尻位置にマークを表示したので、その位置にお尻を合わせて寝かせオムツを装着することで、幼児の脚周りおよびウエスト回りに隙間を生じさせずに着用させることができる。しかも、手早くオムツ交換ができるので、風邪をひかせることなく、また交換時に不意の放尿にも会わずオムツを交換することができる。
【図面の簡単な説明】
【００１１】
【図１】本発明のオムツの構造図である。
【図２】本発明の実施形態の斜視図である。
【図３】着用状態を示す斜視図である。
【発明を実施するための形態】
【００１２】
以下、本発明の実施の形態を図面に基づいて説明する。
【００１３】
本実施形態のオムツは、幼児等の着用者のお尻が触れる透水性の表面シート１と不透水性のカバーシート３およびその間に配置される吸水体２が重ねられて接着されており、表面シートの両側には横漏れ防止用に立体ギャザー４が形成されている。カバーシート３のウエスト部背側aの両端が延長して面ファスナー等の係止部５が内側面に形成され、ウエスト部腹側bには被係止部６が外側面に形成されていて、前記背側の係止部５が腹側の被係止部６に重なって係着してオムツが被着できるようになっている。
【００１４】
カバーシート３のウエスト部背側にはゴム等の弾性部材がウエスト回りに配設されていて、着用者の胴回りにて、伸縮自在となっており、面ファスナー等の係止部５を伸長させて被係止部６に係着させたとき、カバーシートのウエスト部５が、着用者のウエストに密着し尿漏れを防止できるようになっている。係止部５は面ファスナーに限られずフック、釦等であってもよい。
【００１５】
表面シート１は、尿等を透過させる不織布が使用されるのが望ましく、カバーシート３は、不透水性の素材からなり尿漏れを防止する。ポリエチレンフィルムからなるシートが望ましいが、ムレ防止の観点から透湿性を有するシートが好ましい。吸収体２は、背側aから股下を通って腹側ｂの所定位置に達するように適当な長さに配設される。この吸収体２は、尿等の水分を吸収するもので、綿やパルプ等の吸収性素材、高吸収性ポリマー等を組み合わせて形成されている。
【００１６】
以上のような構成のオムツにおいて、本発明は、透水性の表面シート１に着用者の尻位置を誘導するマーク７を表示した。このマークの表示は、表面シート１に限られず、表面シートの内部に補助的に挿入される内部シートあるいは吸水体２に表示し、表面シート１の表面見えるようにしてもよい。さらにこのマーク７は、直線、曲線等の幾何学図形、アルファベット文字あるいは動植物等の図などあらゆるパターンが考えられる。
【００１７】
本発明オムツは以上のように形成されているので、使用するときには表面シート１を上にして敷いたオムツの背側aに幼児のお尻及び背が位置するようにして幼児を寝かせる。この時、寝かせた幼児の尻部をマーク７に合わせて寝かせる。次に、オムツの腹側bを引っ張り上げて、幼児の股部を覆うようにして腹部まで折り返し、カバーシート３のウエスト部の背側aの両端の延長部に設けた面ファスナー等の係止部５，５を、腹側bのカバーシートの外面に設けた被係止部６に係着させる。
【００１８】
着用させたとき、オムツの前後方向での中央部の両側縁ｃは、幼児の脚の付け根部分cを密に取囲めるように伸縮する弾性部材８が平面ギャザーとなって形成されていて、脚の付け根部分に密着し、横漏れが生じないようにしてある。同様にウエスト部背側aも弾性部材が配設されていて、着用者のウエストに密着するようになっていることは前記したとおりである。
【００１９】
したがって、初期のオムツへの幼児を寝かせる位置を誤ると、オムツの係止部５と被係止部６の位置が上下にずれ、これにともない脚の付け根周りの弾性部材８もずれてしまい、尿の横漏れが生じてしまう。このずれを直すためには、係止部の係着を外し、正しい位置に幼児を位置調整して再度係止部を係着せねばならないが、動く幼児を、しかも寝たままの姿勢、あるいは立ち位置に保持しながらオムツだけをずらす作業は容易ではない。
【００２０】
本発明のようにお尻の位置をあらかじめマークしてあることで正しい位置に幼児を置くことができ便利である。それによって初心者や普段参加しないお父さんにも簡単にオムツ交換ができる。
なお、オムツは前記したように、幼児を寝かせて、その後、オムツの腹側を引っ張り上げて幼児の腹側へ折り返すものであるため、幼児の体の厚さ分を考慮して、マーク位置はやや背側による位置になる。正確には幼児の体の厚さ分の半分の長さ背側によることになる。いずれにしても成長に合わせこのマークを基準に位置調整をすることで容易にオムツ交換ができる。
【００２１】
その他本発明のマークに殺菌オゾン性のものを使用して殺菌効果をもたしたり、尿漏れを検知できるようにリトマス液等を使用すると有利である。
【符号の説明】
【００２２】
１    表面シート
２    吸水体
３    吸収体
４    立体ギャザー
５    係止部
６    被係止部
７    マーク
８    弾性部
ａ    背側
ｂ    腹側
ｃ    側縁
【図１】
2014230716.tif 000003
【図２】
2014230716.tif 000004
【図３】
2014230716.tif 000005